(57)【要約】この発明は、通信中の第１基地局から送信された信号の受信電力及び伝搬損失を測定する第１測定手段（３２）、上記第１基地局に隣接する第２基地局から送信された信号の受信電力及び伝搬損失を測定する第２測定手段（３２）、上記第１及び第２測定手段の測定した第１及び第２基地局の受信電力の差を導出する第１導出手段（３４）、上記第１及び第２測定手段の測定した第１及び第２基地局の伝搬損失の差を導出する第２導出手段（３４）、上記第１及び第２導出手段（３４）の導出した値を比較する比較手段（４０）、この比較手段（４０）の比較結果に基づいて、上記第１基地局へハンドオーバ信号を送出する送出手段（４２）を備える移動局である。  したがって、通信中の基地局へ上り信号を届けられる範囲と、通信中の基地局から下り信号を受け取ることができる範囲が異なる場合であっても、ハンドオーバ処理を確実に実行し、通信品質を改善した移動局を提供することができる。
2005025254.tif 000002
【特許請求の範囲】
【請求項１】
通信中の第１基地局から送信された信号の受信電力及び伝搬損失を測定する第１測定手段、
上記第１基地局に隣接する第２基地局から送信された信号の受信電力及び伝搬損失を測定する第２測定手段、
上記第１及び第２測定手段の測定した第１及び第２基地局の受信電力の差を導出する第１導出手段、
上記第１及び第２測定手段の測定した第１及び第２基地局の伝搬損失の差を導出する第２導出手段、
上記第１及び第２導出手段の導出した値を比較する比較手段、
この比較手段の比較結果に基づいて、上記第１基地局へハンドオーバ信号を送出する送出手段を備えることを特徴とする移動局。
【請求項２】
請求項１記載の移動局であって、
上記比較手段は、
上記第１または第２導出手段による導出結果に補正値を付与して比較結果を出力することを特徴とする移動局。
【請求項３】
請求項２記載の移動局であって、
複数の補正値を記憶する記憶装置を備え、
上記比較手段は、上記記憶装置で記憶されている任意の補正値を用いて補正した比較結果を出力するものであることを特徴とする移動局。
【請求項４】
請求項２記載の移動局であって、
任意の係数を示す信号を通信中の基地局から受信する受信手段を備え、
上記比較手段は、受信した係数を用いて補正した比較結果を出力するものであることを特徴とする移動局。
【請求項５】
移動局、この移動局と通信中の第１基地局、この第１基地局と隣接する第２基地局、これら第１及び第２基地局を通信制御する上位コンピュータを有する通信システムにおいて、
上記移動局は、
上記第１基地局から送信された信号を受信して受信電力及び伝搬損失を測定する第１測定手段、
上記第２基地局から送信された信号を受信して受信電力及び伝搬損失を測定する第２測定手段、
上記第１及び第２測定手段の測定した第１及び第２基地局の受信電力の差を導出する第１導出手段、
上記第１及び第２測定手段の測定した第１及び第２基地局の伝搬損失の差を導出する第２導出手段、
上記第１及び第２導出手段の導出した値を比較する比較手段、
この比較手段の比較結果に基づいて、通話回線を上記第２基地局へ切り換えるハンドオーバ要求信号を、上記第１基地局へ送出する送出手段、
上記第１基地局から受信するハンド−オーバ指令信号に基づいて、上記第２基地局との間で通信回線を確立する第１切換手段からなり、
上記第１基地局は、
上記移動局から受信した上記ハンドオーバ要求信号を上記上位コンピュータに中継するとともに、  上記上位コンピュータから受信した上記ハンドオーバ指令信号を上記移動局に中継する中継手段を有し、
上記上位コンピュータは、
上記第１基地局から受信したハンドオーバ信号要求に基づいて、上記第１及び第２基地局に対してハンドオーバ指令信号送出する送出手段を有し、
上記第２基地局は、
上記上位コンピュータから受信したハンドオーバ指令信号に基づいて上記移動局との間で通信回線を確立する第２切換手段からなることを特徴とする通信システム。
【請求項６】
請求項５記載の通信システムにおいて、
上記上位コンピュータは、
複数の係数を記憶する記憶手段、
この記憶手段から読み出された所定の係数を示す信号を上記第１基地局に送出する送出手段を備え、
上記第１基地局は、
上記上位コンピュータから送出された上記所定の係数を示す信号を上記移動局に中継し、
上記移動局の比較手段は、上記第１基地局から受信した所定の係数を用いて補正した比較結果を出力するものであることを特徴とする通信システム。
【発明の詳細な説明】
【技術分野】  この発明は、ハンドオーバ時に通信が途切れないように改善した移動局に関する。
【背景技術】  ３ＧＰＰ仕様書ＴＳ２５．３３１Ｖ３．１１．０（２００２−０６）の１４．１．２．１の項にはハンドオーバ処理する条件として以下に述べる式（１０）が記載されている。従って、この条件を満たす時点で移動局はハンドオーバ処理を実行するように構成されている。第７図は移動局の構成を示したブロック図である。図において、移動局１００は、マイクロコンピュータ１２０で処理した信号を、ベースバンド部１４０、無線部１６０、アンテナ１８０を介して通信中の基地局へ送信し、逆の経路で、基地局から信号を受信する。
移動局１００は、通信中の状態（３ＧＧＰ規格においては「アクティブセットセル」という）である基地局に隣接する非通信状態（３ＧＧＰ規格においては「モニタセットセル」という）である基地局からも、第１共通チャネルＰＣＩＰＣＨ（Ｐｒｉｍａｒｙ  Ｃｏｍｍｏｎ  Ｐｉｌｏｔ  Ｃｈａｎｎｅｌ）の信号を介して信号を受信している。この受信信号はアンテナ１８０、無線部１６０、ベースバンド部１４０を介してマイクロコンピュータ１２０に入力される。マイクロコンピュータ１２０のメジャメント処理部１２２は定期的に隣接する基地局及び通信中の基地局の受信電力を測定し、その測定結果をＥｖｅｎｔ１Ａ判定部１２４へ入力する。Ｅｖｅｎｔ１Ａ判定部１２４は入力された通信中及び隣接する基地局の受信電力の測定結果に基づいて式（１０）を満たすか否かを判定し、満足していればハンドオーバ処理のイベント発生を示す信号をベースバンド部１４０、無線部１６０及びアンテナ１８０を介して通信中の基地局に向けて出力する。なお、メジャメント処理部１２２は、通信中の状態である基地局及び非通信状態である隣接基地局のいずれに対しても測定を行う。
2005025254.tif 000003
なお、式（１０）において、左辺のＭｎｅｗは、メジャメント処理部１２２で測定された、モニタセットセルである隣接基地局からの受信電力、ＣＩＯｎｅｗはＭｎｅｗの補正値を示す。また、右辺において、Ｗには０又は１が代入され、アクティブセットセルである複数又は単数の通信中基地局からの各受信電力の値Ｍｉを総合的に示す第１項と、アクティブセットセルである複数又は単数の通信基地局からの各受信電力のうち、最も高い受信電力の値ＭＢｅｓｔを示す第２項とが選択的に、左辺のモニタセットセルである隣接基地局からの受信電力と比較される。また、Ｒ１ａはＥｖｅｎｔ１Ａの発生条件を定めるレポーティングレンジ、Ｈ１ａはヒステリシスと呼ばれるレポーティングレンジＲ１ａの補正値である。
次に、式（１０）を第８図に基づいて説明する。なお、説明の都合上、ここでは、Ｗ、ＣＩＯｎｅｗ、Ｈ１ａは０であるとする。第８図は縦軸に各基地局からの受信電力を示し、横軸は時間を示す。なお、この縦軸は上になるほど受信電力の値が大きくなる。第８図において、右辺第２項の値は曲線１、右辺第２項の値からレポーティングレンジＲ１ａの値を減じた値が曲線１ａ、左辺の値が曲線２で示されている。図において、右辺第２項の値からレポーティングレンジＲ１ａを減じた値を、左辺の値が越えた時点Ｃで、式（１０）が満足する。
移動局１００の動作を第９図に基づいて説明する。
移動局１００は、定期的にＥｖｅｎｔ１Ａ判定処理プログラムを実行する。Ｅｖｅｎｔ１Ａ判定処理プログラムが起動すると、まず、マイクロコンピュータ１２０で式（１０）を満たすか否かが判定される（Ｓ１０１）。この判定により、左辺が右辺を下回っている場合にはＥｖｅｎｔ１Ａ判定部１２４は、イベント送信部１２６にイベント発生を報告することなくＥｖｅｎｔ１Ａ判定処理を終了する。
一方、マイクロコンピュータ１２０で式（１０）を満たしたことを検出した場合、式（１０）を満たす状態になってから所定時間が経過していれば（Ｓ１０３）、イベント送信部１２６へイベント発生を報告してＥｖｅｎｔ１Ａ判定処理を終了する（Ｓ１０５）。
以上のとおり、移動局１００は式（１０）を満たした時にソフトハンドオーバ処理を実行するので、アクティブセットセルである基地局からの受信電力（式（１０）の右辺第１項または第２項）とモニタセットセルである基地局からの受信電力（式（１０）の左辺第１項）とが略釣り合ったときに、ハンドオーバ処理を実行することができる。なお、式（１０）を満たしていても、所定時間が経過していなければイベント送信部１２６にイベント発生を報告しないのは、瞬間的に式（１０）を満たしただけの場合は不必要な報告を基地局にしないためである。
しかし、基地局から下り信号が移動局に届く範囲と、移動局から上り信号が基地局に届く範囲は大きく異なることがある。従って、上記従来技術では、ハンドオーバ処理を実行する地点が、アクティブセットセルである基地局に上り信号を届けられない位置である場合がある。
例えば、第１０図のように、アクティブセットセルである基地局Ａから移動局１００に下り信号を届けられる範囲Ａｄが、移動局１００から基地局Ａに上り信号を届けられる範囲Ａｕよりも大きく、モニタセットセルである基地局Ｂから移動局１００に下り信号を届けられる範囲Ｂｄが、移動局１００から基地局Ｂに上り信号を届けられる範囲Ｂｕよりも小さい場合を想定する。この場合、図のように、基地局Ａ及びＢから夫々移動局１００に届く下り信号が釣り合う地点（ハンドオーバ処理する地点）Ｐｓが、アクティブセットセルである基地局Ａに対して上り信号を届けられない位置（範囲Ａｕ外）となることがある。なお、ハンドオーバ処理を実行するには、アクティブセットセルである基地局と情報を送信及び受信できなければならない。
すなわち、移動局１００はハンドオーバ処理時に、基地局Ａに情報を届けることができず、ハンドオーバ処理に失敗する。この失敗により通信品質の劣化を招くことがある。
そこで、この発明は、通信中の基地局へ上り信号を届けられる範囲と、通信中の基地局から下り信号を受け取ることができる範囲が異なる場合であっても、ハンドオーバ処理を確実に実行し、通信品質を改善した移動局を提供することを目的にする。
【発明の開示】
この発明は、通信中の第１基地局から送信された信号の受信電力及び伝搬損失を測定する第１測定手段、上記第１基地局に隣接する第２基地局から送信された信号の受信電力及び伝搬損失を測定する第２測定手段、上記第１及び第２測定手段の測定した第１及び第２基地局の受信電力の差を導出する第１導出手段、上記第１及び第２測定手段の測定した第１及び第２基地局の伝搬損失の差を導出する第２導出手段、上記第１及び第２導出手段の導出した値を比較する比較手段、この比較手段の比較結果に基づいて、上記第１基地局へハンドオーバ信号を送出する送出手段を備える移動局である。
したがって、通信中の基地局へ上り信号を届けられる範囲と、通信中の基地局から下り信号を受け取ることができる範囲が異なる場合であっても、ハンドオーバ処理を確実に実行し、通信品質を改善した移動局を提供することができる。
【図面の簡単な説明】  第１図は、実施の形態１に係る移動局の構成図である。
第２図は、実施の形態１に係る移動局の動作を示すフローチャート図である。
第３図は、実施の形態１に係る移動局の動作説明図である。
第４図は、移動局と基地局との間でのハンドオーバ処理を示すシーケンス図である。
第５図は、実施の形態１に係る移動局の動作説明図である。
第６図は、実施の形態２に係る通信システムのシーケンス図である。
第７図は、従来技術の構成図である。
第８図は、従来技術で用いられる判定式の説明図である。
第９図は、従来技術の動作を示すフローチャート図である。
第１０図は、従来技術の動作説明図である。
【発明を実施するための最良の形態】実施の形態１．
実施の形態１に係る移動局の構成、動作を第１図〜第５図に基づいて説明する。
移動局１０は、マイクロコンピュータ３０で処理した信号を、ベースバンド部５０、無線部７０、アンテナ９０を介して任意の基地局と通信する。また、通信中の基地局から指定された周辺基地局（通信状態がアクティブセットセルであるかモニタセットセルであるかは問わない）から、第１共通チャネルＰＣＩＰＣＨ（Ｐｒｉｍａｒｙ  Ｃｏｍｍｏｎ  Ｐｉｌｏｔ  Ｃｈａｎｎｅｌ）の信号を夫々受信している。この受信信号はアンテナ９０、無線部７０、ベースバンド部５０を介してマイクロコンピュータ３０に入力される。マイクロコンピュータ３０は、入力信号に基づいて各基地局の受信電力を定期的に測定するメジャメント処理部（第１測定手段、第２測定手段）３２、メジャメント処理部３２の測定結果に基づいて下式（１）、（２）を計算し、α、βの値を導出するα，β導出部（第１導出手段、第２導出手段）３４、このα，β導出部３４の導出結果を夫々記憶するα記憶部３６及びβ記憶部３８、各記憶部３６、３８に記憶されている値α及びβを用いて下式（３）を満たすか否かを判定するＥｖｅｎｔ１Ａ判定部（比較手段）４０、このＥｖｅｎｔ１Ａ判定部４０の判定結果に基づいて、アクティブセットセルである基地局にイベント発生を示す信号（Ｍｅａｓｕｒｍｅｎｔ＿Ｒｅｐｏｒｔ）をベースバンド部５０、無線部７０及びアンテナ９０を介して送信するイベント送信部（送信手段）４２を有する。
なお、メジャメント処理部３２で測定する受信電力は、任意の基地局からの受信電力ＲＳＣＰ（Ｒｅｃｅｉｖｅｄ  Ｓｉｇｎａｌ  Ｃｏｄｅ  Ｐｏｗｅｒ）、任意の基地局からの受信電力とその他の基地局からの受信電力との比（受信信号コードの電力比Ｅｃ／Ｎｏ）、受信した信号の電界強度のいずれの値を用いても良い。
2005025254.tif 000004
ここで、各記号は３ＧＰＰ仕様書ＴＳ２５．３３１Ｖ３．１１．０（２００２−０６）の１４．１．２．１の項に記載されている内容と同一内容の意味であるが、以下に各記号の意味を移動局１０の構成に基づいて説明する。
Ｍｎｅｗは、所定のモニタセットセルである基地局（第１基地局に隣接する第２基地局）についてメジャメント処理部３２で測定された値で、式（１）ではそのモニタセットセルである基地局から送信された信号の伝搬損失、式（２）ではそのモニタセットセルである基地局から送信された信号の受信電力の測定結果の値を示す。ＣＩＯｎｅｗはＭｎｅｗの補正値で基地局から通知される。Ｍｉはアクティブセットセルである基地局（通信中の第１基地局）についてメジャメント処理部３２で測定された値で、式（１）ではそのアクティブセットセルである基地局から送信された信号の伝搬損失、式（２）ではそのアクティブセットセルである基地局から送信された信号の受信電力を示す。
また、ＭＢｅｓｔは、移動局１０のアクティブセットセルである基地局が複数有る場合に、式（１）では最も低い伝搬損失の基地局の伝搬損失を示し、式（２）では最も高い受信電力の基地局の受信電力を示す。
Ｒ１ａはアクティブセットセルである基地局を追加すべき状態（３ＧＧＰにおいて「Ｅｖｅｎｔ１Ａ」という）の発生条件を決定するレポーティングレンジ、Ｈ１ａはＥｖｅｎｔ１Ａ用のヒステリシス（移動局１０に記憶され、レポーティングレンジＲ１ａを補正する値）である。
Ｗは基地局から移動局に送られる値であり、０．０〜２．０が代入される。その結果、式（１）でアクティブセットセルまでの広義の伝搬損失（Ｗ・１０・Ｌｏｇ（（１／Σ（１／Ｍｉ））＋（１−Ｗ）・１０・ＬｏｇＭＢｅｓｔ＋（Ｒ１ａ−Ｈ１ａ／２）））とモニタセットセルまでの広義の伝搬損失（１０・ＬｏｇＭｎｅｗ＋ＣＩＯｎｅｗ）を比較する際、アクティブセットセルからの広義の伝搬損失の大きさに影響を与える。また、式（２）の場合は、モニタセットセルからの広義の受信電力（１０・ＬｏｇＭｎｅｗ＋ＣＩＯｎｅｗ）とアクティブセットセルからの広義の受信電力（Ｗ・１０・Ｌｏｇ（ΣＭｉ）＋（１−Ｗ）・１０・ＬｏｇＭＢｅｓｔ−（Ｒ１ａ−Ｈ１ａ／２））とを比較する際、アクティブセットセルからの広義の受信電力の大きさに影響を与える。
また、Ｅｖｅｎｔ１Ａ判定部４０は、α，β導出部３４で導出した伝搬損失差α、受信電力差βに基づいて以下の計算をすることにより、Ｅｖｅｎｔ１Ａの発生を判定する。
2005025254.tif 000005
移動局１０の動作について第２図〜第５図に基づいて説明する。
移動局１０は、定期的にＥｖｅｎｔ１Ａ判定処理プログラムを実行する。Ｅｖｅｎｔ１Ａ判定処理プログラムが起動すると、まず、マイクロコンピュータ３０で上記αが導出されて（第１導出手段）、α記憶部３６にαの値が記憶される（Ｓ２）。マイクロコンピュータ３０は、αの導出に引き続いてβの値を導出し（第２導出手段）、β記憶部３８にβの値が記憶される（Ｓ４）。マイクロコンピュータ３０はβの導出後、α記憶部３６、β記憶部３８からα及びβの値を読出し、式（３）の判定処理を実行する（Ｓ６）（比較手段）。この判定処理により、α＋βが０未満である場合にはステップＳ８に進み、α＋βが０以上である場合にはステップＳ１０に進む。
ステップＳ８では、Ｅｖｅｎｔ１Ａ判定部４０内のタイマが動作している場合は停止させ、元から停止している場合は停止している状態を維持させる。ここで、タイマは、ｔｉｍｅ＿ｔｏ＿ｔｒｉｇｇｅｒと呼ばれる３ＧＧＰ規格で定められている時間をカウントするために用いられるものであり、移動局１０がＥｖｅｎｔ１Ａ発生と判定した場合であっても、その判定が瞬間的なものであるときにはＥｖｅｎｔ１Ａの発生を不要に基地局へ通知しないようにするためのものである。ステップＳ１０では、上記ｔｉｍｅ＿ｔｏ＿ｔｒｉｇｇｅｒの期間が終了したか否かを判定する。この判定の結果、タイマが未起動の場合はタイマを起動させてＥｖｅｎｔ１Ａ処理を終了する（Ｓ１２）。また、タイマが既に起動しており、ｔｉｍｅ＿ｔｏ＿ｔｒｉｇｇｅｒの期間が経過している場合は、基地局へＥｖｅｎｔ１Ａ発生を報告して、Ｅｖｅｎｔ１Ａ処理を終了する（Ｓ１４）。また、タイマが既に起動しており、ｔｉｍｅ＿ｔｏ＿ｔｒｉｇｇｅｒの期間が経過していない場合は何もせずにＥｖｅｎｔ１Ａ判定処理を終了する。
また、移動局１０が移動している場合の様子を第３図〜第５図に基づいて説明する。第３図において、基地局Ａはアクティブセットセル、基地局Ｂはモニタセットセルとし、移動局１０は基地局Ａ付近から基地局Ｂ付近に向かう方向Ｄへ移動するとする。
第３図（ａ）において、基地局Ａから移動局１０に下り信号を届けられる範囲Ａｄは、移動局１０から基地局Ａに上り信号を届けられる範囲Ａｕよりも小さい。また、基地局Ｂから移動局１０に下り信号を届けられる範囲Ｂｄは、移動局１０から基地局Ｂに上り信号を届けられる範囲Ｂｕよりも大きい。
このような場合、移動局１０からの上り信号を基地局Ａ及びＢで夫々受信した受信電力が釣り合う上り釣り合い地点Ｐｕが、基地局Ａ及びＢから移動局で夫々受信した各受信電力と釣り合う下り釣り合い地点Ｐｄよりも後に生じることがある。そのため、上り釣り合い地点のみに基づいてハンドオーバ処理すると、ハンドオーバ処理する際、通信中の基地局Ａから下り信号を受信できる範囲外となるおそれがある。
しかし、移動局１０によれば、Ｅｖｅｎｔ１Ａの発生を上り釣り合い地点Ｐｕと下り釣り合い地点Ｐｄとの中間地点で検出してハンドオーバ処理する。したがって、通信中の基地局Ａから下り信号を受信できる位置でハンドオーバ処理できる可能性が高まる。
一方、第３図（ｂ）において、基地局Ａから移動局１０に下り信号を届けられる範囲Ａｄは、移動局１０から基地局Ａに上り信号を届けられる範囲Ａｕよりも大きい。また、基地局Ｂから移動局１０に下り信号を届けられる範囲Ｂｄは、移動局１０から基地局Ｂに上り信号を届けられる範囲Ｂｕよりも小さい。
このような場合、下り釣り合い地点Ｐｄが、上り釣り合い地点Ｐｕよりも後に生じることがある。
しかし、移動局１０によれば、Ｅｖｅｎｔ１Ａの発生を上り釣り合い地点Ｐｕと下り釣り合い地点Ｐｄとの中間地点で検出してハンドオーバ処理するので、ハンドオーバ処理を、通信中の基地局Ａから下り信号を受信できる位置で行える可能性が高まる。
なお、移動局１０がＥｖｅｎｔ１Ａの発生を判断した場合に、移動局１０、アクティブセットセルである基地局（第３図において基地局Ａ）、モニタセットセルである基地局（第３図において基地局Ｂ）、各基地局を統括するＲＮＣ（Ｒａｄｉｏ  Ｎｅｔｗｏｒｋ  Ｃｏｎｔｒｏｌ：無線ネットワーク制御装置）（上位コンピュータ）との情報の送受信の様子を第４図に基づいて説明すると、以下のようになる。
移動局１０がＥｖｅｎｔ１Ａの発生を判定（第３図で示す基地局Ｂをアクティブセットセルに追加すると判定）した場合（Ｓ２１）、移動局１０は、基地局Ｂをアクティブセットセルに切りかえるべき旨の信号ｍｅａｓｕｒｍｅｎｔ＿ｒｅｐｏｒｔ（ハンドオーバ信号、ハンドオーバ要求信号）を基地局Ａの中継手段を介してＲＮＣに通知する（Ｓ２３）（送出手段）。移動局１０からの信号を受信したＲＮＣは、基地局Ｂに対して移動局１０との通信状態をアクティブセットセルに切りかえるように、ＲＮＣ内部の指令手段から、指令信号ｒａｄｉｏ＿ｌｉｎｋ＿ａｄｄｉｔｉｏｎ  ｒｅｑｕｅｓｔ（ハンドオーバ指令信号）を送出する（Ｓ２５）。この信号を受信した基地局Ｂは、移動局１０との通信状態を、移動局１０内部の切換手段（図示せず）でモニタセットセルからアクティブセットセルに変更し（第２の切換手段）、変更した旨の応答信号ｒａｄｉｏ＿ｌｉｎｋ＿ａｄｄｉｔｉｏｎ＿ｒｅｓｐｏｎｓｅをＲＮＣに向けて送出する（Ｓ２７）。この応答信号をＲＮＣ内部の受信手段（図示せず）で受信したＲＮＣは、このＲＮＣの設定状況を、基地局Ｂを移動局１０のアクティブセットセルとして制御するものに更新する（Ｓ２９）。また、この更新と共に、ＲＮＣは基地局Ａの中継手段を介して移動局１０に、基地局Ｂが移動局１０のアクティブセットセルとなった旨の信号ａｃｔｉｖｅｓｅｔ＿ｕｐｄａｔｅ（ハンドオーバ指令信号）を通知する（Ｓ３１）。この通知を移動局１０は内部の受信手段で受信し、モニタセットセルである基地局Ｂを、移動局１０内部の切換手段（図示せず）によってアクティブセットセルである基地局に切り換え（第１の切換手段）、設定完了の旨ａｃｔｉｖｅｓｅｔ＿ｕｐｄａｔｅ＿ｃｏｍｐｌｅｔｅを基地局Ａを介してＲＮＣに通知する（Ｓ３５）。
次に、基地局Ａからの下り信号を移動局１０で受信した受信レベルと基地局Ｂからの下り信号を移動局１０で受信した受信レベルとが釣り合う地点Ｐｄと、移動局１０からの上り信号を基地局Ｂで受信した受信レベルと基地局Ａで受信した受信レベルとが釣り合う地点Ｐｕとの中間地点ＰｓでＥｖｅｎｔ１Ａの発生を検出する様子について第５図に基づいて説明する。
式（１）において、αは、基地局Ａ及び基地局Ｂまでの伝播損失の差（第１及び第２基地局の伝搬損失の差）を示す。なお、基地局Ａ及びＢまでの伝搬損失の差を求める式は、式（１）に限定されることはなく、通信中の基地局Ａまでの伝搬損失を示す値と隣接基地局Ｂまでの伝搬損失を示す値とを比較できる式であれば良い。
また、基地局から出力された信号が移動局に届くまでに生じる伝播損失は、その移動局から出力された信号がその移動局に届くまでの伝播損失に等しい。そのため移動局は、伝播損失に基づいてその移動局から出力された上り信号がその基地局に届くか否かを判定することができる。すなわち、基地局Ａ及びＢまでの伝播損失が等しい（α＝０）ということは、基地局Ａ及びＢで受信した上り信号の受信電力が略等しいことを意味する。
一方、式（２）において、βは、基地局Ａ及びＢからの受信電力の差（第１及び第２基地局の受信電力の差）を示す。なお、基地局Ａ及びＢからの受信電力の差を求める式は、式（２）に限定されることはなく、通信中の基地局Ａからの受信電力を示す値と隣接基地局Ｂからの受信電力を示す値とを比較できる式であれば良い。
また、受信電力に基づけば、移動局は、基地局から出力された下り信号が、その移動局に届くか否かを判定することができる。すなわち、基地局Ａ及びＢからの受信電力が等しい（β＝０）ということは、移動局で受信した基地局Ａ及びＢからの下り信号の受信電力が略等しいことを意味する。
第５図では、移動局が第３図に示す方向Ｄに移動している場合のαとβを示している。第５図において、α及びβは共に増加傾向にある。また、α＝０となる時とβ＝０となる時にずれがある場合は、α又はβのいずれか一方が正の値であり、その他方が負の値となる時が存在する。したがって、第５図のように、βがαに先んじて正の値となってからα＝０となるまでは、式（３）を満たす時が存在する。
いいかえれば、式（３）を満たした場合は、β＝０となった地点とα＝０の地点の中間に移動局１０が位置している。すなわち、移動局１０によれば、基地局Ａ及びＢまでの伝播損失が釣り合う地点と、基地局Ａ及びＢからの受信電力が釣り合う地点との中間地点でＥｖｅｎｔ１Ａの発生を検出してハンドオーバ処理することができる。
したがって、移動局１０は、基地局Ａ及びＢへの上り信号が釣り合う地点と比べて、基地局Ａから下り信号を受信できる位置でハンドオーバ処理できる可能性が高い。
また、基地局Ａ及びＢからの下り信号が釣り合う地点と比べて、基地局Ａに上り信号を送信できる位置でハンドオーバ処理できる可能性が高い。
以上のとおり、実施の形態１に係る移動局１０によれば、通信中のアクティブセットセルである基地局へ上り信号を届けられる範囲と、通信中のアクティブセットセルである基地局から下り信号を受け取ることができる範囲が異なる場合であっても、ハンドオーバ処理を確実に実行し、通信品質を改善した移動局を提供することができる。
また、実施の形態１に係る通信システムによれば、通信中のアクティブセットセルである基地局へ上り信号を届けられる範囲と、通信中のアクティブセットセルである基地局から下り信号を受け取ることができる範囲が異なる場合であっても、ハンドオーバ処理を確実に実行し、通信品質を改善した通信システムを提供することができる。
実施の形態２．
実施の形態１では、式（３）は、単純にαとβとを加算するだけであったが、実施の形態２では、移動局１０のＥｖｅｎｔ１Ａ判定部４０で、下式（４）のように、α及びβに夫々係数（補正値）を乗じる判定式を実行する。このようにすれば、式（３）の判定を補正し、判定結果をさらに妥当なものにすることができる。
2005025254.tif 000006
また、移動局１０に係数ｃ及びｄを夫々複数記憶する記憶装置を追加し、この記憶装置から任意の係数ｃ及びｄを読み出して、Ｅｖｅｎｔ１Ａ判定部４０で式（４）の判定式を実行すれば、補正内容を具体的条件に基づいて変更することができるので、より適切な補正を行うことができる。
実施の形態３．
実施の形態３では、実施の形態１の通信システムに対して、ＲＮＣに式（４）で示す係数ｃ、ｄを複数記憶する記憶装置（図示せず）、この記憶装置から読み出した適当な係数ｃ及びｄを通知する信号を基地局Ａ（第１基地局）へ送出する送出手段を追加し、基地局Ａに上記通知信号を移動局に中継する手段（図示せず）を追加し、移動局に基地局Ａからその通知信号を受信する受信手段（図示せず）を追加する。
このような通信システムによれば、ＲＮＣから、記憶装置から読み出した適当な係数ｃ及びｄを基地局Ａへ送出し（Ｓ４１）、送出された通知信号を基地局Ａから移動局に中継し（Ｓ４３）、その通知信号を移動局が受信して記憶して、上記係数ｃ及びｄを、式（４）を利用した判定に用いることができる。
実施の形態４．
実施の形態１では、移動局１０から通信中の基地局へ送信するハンドオーバ信号が、モニタセットセルである基地局をアクティブセットセルである基地局に追加する信号（例えば、３ＧＧＰ規格においてはＥｖｅｎｔ１Ａ発生信号）であったが、アクティブセットセルである基地局をモニタセットセルである基地局に変更する信号（例えば、３ＧＧＰ規格においてはＥｖｅｎｔ１Ｂ発生信号）や、モニタセットセルである第１基地局とアクティブセットセルである第２基地局との状態を入れ替えるように指令する信号（例えば、３ＧＧＰ規格ではＥｖｅｎｔ１Ｃ発生信号）であっても良く、要は、通信中の基地局及びこの基地局と隣接する基地局の受信電力及び伝搬損失に基づいてハンドオーバ処理を実行するものであれば良い。
以上のような構成であれば、通信中である基地局へ上り信号を届けられる範囲と、通信中である基地局から下り信号を受け取ることができる範囲が異なるときであっても、ハンドオーバ処理を確実に実行し、通信品質を改善した移動局を提供することができる。
【図１】
2005025254.tif 000007
【図２】
2005025254.tif 000008
2005025254.tif 000009
【図４】
2005025254.tif 000010
【図５】
2005025254.tif 000011
【図６】
2005025254.tif 000012
【図７】
2005025254.tif 000013
【図８】
2005025254.tif 000014
【図９】
2005025254.tif 000015
【図１０】
2005025254.tif 000016
【国際調査報告】
2005025254.tif 000017
2005025254.tif 000018
2005025254.tif 000019
2005025254.tif 000020